(57)【要約】【課題】除去した塵や埃等が機械室の内部に残存する虞れのない自動販売機を提供すること。【解決手段】前面が開口する直方状の形態を成し、商品収容庫５と機械室１８とが上下に区画されて成る本体キャビネット１と、一側縁部が本体キャビネット１の前方側一側縁部に支承され、本体キャビネット１の前面開口を開閉する外扉２とを備え、外扉２の下部に形成され、かつフィルタ部材４１に覆われた外気導入口４０を通じて、機械室１８に外気を導入するようにした自動販売機において、フィルタ部材４１表面に摺接する態様で配設された清掃ブラシ部材５１と、外扉２が全閉状態にある場合には、清掃ブラシ部材５１を外気導入口４０の他側縁部側の初期位置に位置させる一方、外扉２を開移動させる場合には、清掃ブラシ部材５１を初期位置から外気導入口４０の一側縁部側に向けて摺動させるリンク機構５２とを備えている。【選択図】      図７
2008234137.tif 000002
【特許請求の範囲】
【請求項１】
前面が開口する直方状の形態を成し、商品収容庫と機械室とが上下に区画されて成る自動販売機本体と、
一側縁部が前記自動販売機本体の前方側一側縁部に支承され、前記自動販売機本体の前面開口を開閉する外扉と
を備え、
前記外扉の下部に形成され、かつフィルタ部材に覆われた外気導入口を通じて、前記機械室に外気を導入するようにした自動販売機において、
前記フィルタ部材表面に摺接する態様で配設された清掃ブラシ部材と、
前記外扉が全閉状態にある場合には、前記清掃ブラシ部材を前記外気導入口の他側縁部側の初期位置に位置させる一方、前記外扉を開移動させる場合には、前記清掃ブラシ部材を前記初期位置から外気導入口の一側縁部側に向けて摺動させるリンク機構と
を備えたことを特徴とする自動販売機。
【請求項２】
前記リンク機構は、前記外扉が全閉状態から開移動する場合に、かかる開移動の距離が予め決められた大きさに達するまでは、前記清掃ブラシ部材を前記初期位置に位置させることを特徴とする請求項１に記載の自動販売機。
【発明の詳細な説明】
【技術分野】
【０００１】
本発明は、自動販売機に関し、より詳細には、前面を構成する外扉の下部に形成された外気導入口を通じて外気を導入するようにした自動販売機の改良に関する。
【背景技術】
【０００２】
従来、自動販売機本体である本体キャビネットの内部に収容された商品を冷却するようにした自動販売機として、本体キャビネットの内部に冷却ユニットを備えたものが知られている。ここで、本体キャビネットは、前面が開口する直方状の形態を成す筐体であり、商品収容庫と機械室とが上下に区画されて成るものである。そして、この本体キャビネットの前方側一側縁部には、該本体キャビネットの前面開口を開閉する外扉の一側縁部が支承されている。
【０００３】
冷却ユニットは、圧縮機、凝縮器、膨張弁および蒸発器を配管で接続して構成し、内部に封入した冷媒を循環させるものである。圧縮機は、本体キャビネットの機械室に配設され、供給された冷媒を圧縮するものである。凝縮器は、圧縮機と同様に機械室に配設され、供給された冷媒、すなわち圧縮機で圧縮された冷媒を凝縮させるものである。膨張弁は、圧縮機および凝縮器と同様に機械室に配設され、供給された冷媒、すなわち凝縮器で凝縮された冷媒を断熱膨張させるものである。蒸発器は、本体キャビネットの商品収容庫に配設され、供給された冷媒、すなわち膨張弁で断熱膨張された冷媒を蒸発させて、蒸発させた冷媒を上記圧縮機に供給するものである。かかる蒸発器では、内部を通過する冷媒が蒸発する結果、該蒸発器の周囲空気が冷却され、冷却された空気が商品収容庫内を移動することにより、該商品収容庫内に収容された商品が冷却される。
【０００４】
そのような自動販売機においては、外扉の下部に形成され、かつ網目状のフィルタ部材に覆われた外気導入口を通じて、機械室に外気を導入するようにしているのが一般的である。これにより、凝縮器から放出される熱を外気に与えることができる。
【０００５】
しかしながら、かかる構成を採用する結果、冷却ユニットを構成する機器、特に凝縮器に塵や埃等が付着し、これにより凝縮器の熱交換性能の低下を招来する虞れがある。
【０００６】
このような問題を解決するべく、凝縮器の表面に摺動自在に設けられたブラシ材と、外扉の開閉動作に応じて該ブラシ材を摺動させる駆動部材とを有した清掃装置を備えた自動販売機が知られている（例えば、特許文献１参照）。
【０００７】
【特許文献１】特開平１１−２８３０９９号公報
【発明の開示】
【発明が解決しようとする課題】
【０００８】
ところで、特許文献１に提案されているような自動販売機では、外扉の開閉動作に応じてブラシ材が凝縮器の表面を摺動することにより該凝縮器の表面に付着した塵や埃等を除去することになるが、凝縮器は上述したように機械室の内部に配設してあるため、除去された塵や埃等は機械室の底面に落下し、依然として機械室内に残存することになる。このように機械室に残存することにより、残存する塵や埃等が再度凝縮器等に付着する虞れがある。
【０００９】
一方、近年の自動販売機では、機械室に設置された凝縮器により加熱された空気を商品収容庫の内部に供給して、該商品収容庫に収容された商品を加熱することが考えられている。すなわち、自動販売機本体である本体キャビネットに配設された商品収容庫の内部空気を加熱して、該商品収容庫に収容された商品を加熱するようにした自動販売機が考えられている。
【００１０】
このような自動販売機の場合、商品収容庫にダクトを通じて連通する加熱室を機械室に設置し、かかる加熱室の内部に凝縮器を圧縮機とともに収容することが考えられる。
【００１１】
そして、全ての商品収容庫に収容された商品を冷却する場合には、上記加熱室を画成する壁に設けられた開閉自在な開口を開成にして、外扉の外気導入口から導入した空気が該開口を通じて加熱室内を通過するようにして、凝縮器から放出された熱を外部に放出するようにすることが考えられる。
【００１２】
かかる構成を採用する自動販売機に、上記特許文献１に提案されているような清掃装置を組み合わせると、上述したように機械室内（加熱室内）に塵や埃等が残存し、これらが凝縮器等に再度付着する虞れがあるだけでなく、残存する塵や埃等がダクトを通じて商品収容庫の内部に侵入してしまう虞れがある。
【００１３】
本発明は、上記実情に鑑みて、除去した塵や埃等が機械室の内部に残存する虞れのない自動販売機を提供することを目的とする。
【課題を解決するための手段】
【００１４】
上記目的を達成するために、本発明の請求項１に係る自動販売機は、前面が開口する直方状の形態を成し、商品収容庫と機械室とが上下に区画されて成る自動販売機本体と、一側縁部が前記自動販売機本体の前方側一側縁部に支承され、前記自動販売機本体の前面開口を開閉する外扉とを備え、前記外扉の下部に形成され、かつフィルタ部材に覆われた外気導入口を通じて、前記機械室に外気を導入するようにした自動販売機において、前記フィルタ部材表面に摺接する態様で配設された清掃ブラシ部材と、前記外扉が全閉状態にある場合には、前記清掃ブラシ部材を前記外気導入口の他側縁部側の初期位置に位置させる一方、前記外扉を開移動させる場合には、前記清掃ブラシ部材を前記初期位置から外気導入口の一側縁部側に向けて摺動させるリンク機構とを備えたことを特徴とする。
【００１５】
また、本発明の請求項２に係る自動販売機は、上述した請求項１において、前記リンク機構は、前記外扉が全閉状態から開移動する場合に、かかる開移動の距離が予め決められた大きさに達するまでは、前記清掃ブラシ部材を前記初期位置に位置させることを特徴とする。
【発明の効果】
【００１６】
本発明の自動販売機によれば、リンク機構がフィルタ部材表面に摺接する態様で配設された清掃ブラシ部材を、外扉が全閉状態にある場合には初期位置に位置させる一方、外扉が開移動する場合には、初期位置から外気導入口の一側縁部側に向けて摺動させるので、フィルタ部材に付着した塵や埃等を除去することができるとともに、除去した塵や埃等が機械室の内部に残存する虞れがないという効果を奏する。特に、リンク機構が、外扉が全閉状態から所定の距離だけ開移動する間は、清掃ブラシ部材を初期位置に位置させるように調整してあるので、除去した塵や埃等が機械室に残存することを確実に回避することができる。
【発明を実施するための最良の形態】
【００１７】
以下に添付図面を参照して、本発明に係る自動販売機の好適な実施の形態について詳細に説明する。
【００１８】
図１〜図３は、それぞれ本発明の実施の形態における自動販売機を模式的に示したものであり、図１は、正面から見た断面図であり、図２は、図１のＡ−Ａ線断面図、図３は図１のＢ−Ｂ線断面図である。ここに例示する自動販売機は、本体キャビネット１を備えている。
【００１９】
本体キャビネット１は、前面が開口した直方状の断熱筐体として形成した自動販売機本体である。この本体キャビネット１には、その前面に外扉２と内扉３とが設けてあり、その内部に例えば２つの断熱仕切板４によって仕切られた３つの独立した商品収容庫５ａ，５ｂ，５ｃ（以下、必要に応じて商品収容庫５と総称する）が左右に並んだ態様で設けてある。より詳細に説明すると、外扉２は、本体キャビネット１の前面開口を開閉するためのものであり、内扉３は、商品収容庫５の前面を開閉するためのものである。商品収容庫５は、缶入り飲料やペットボトル入り飲料等の商品を所望の温度に維持した状態で収容するためのものである。
【００２０】
商品収容庫５ａ，５ｂ，５ｃには、それぞれ商品収納ラック６、搬出機構７および商品搬出シュータ８が設けてある。商品収納ラック６は、商品を上下方向に沿って並ぶ態様で収納するためのものである。搬出機構７は、商品収納ラック６の下部に設けてあり、この商品収納ラック６に収納された商品群のうち最下部にある商品を一つずつ搬出するためのものである。商品搬出シュータ８は、搬出機構７から搬出された商品を外扉２に設けた商品取出口２ａに導くためのものである。商品搬出シュータ８によって仕切られた下方部は、それぞれ断熱仕切壁９によって前後２つの室に仕切られており、前方側は吐出室１０、後方側は吸込室１１となっている。また、商品収容庫５の背面側には、背面ダクト１２が設けてある。背面ダクト１２の上部には吸込口１２ａが形成してある一方、下部には吸込室１１に連通する吐出口１２ｂが形成してある。
【００２１】
上記商品収容庫５の底面となる断熱底壁１３には、冷気吸込口１４および冷気吐出口１５が形成してある。冷気吸込口１４は、吸込室１１に対応する個所に設けた開口であり、冷気吸込シャッタ１４ａにより開閉自在となっている。冷気吐出口１５は、吐出室１０に対応する個所に設けた開口であり、冷気吐出シャッタ１５ａにより開閉自在となっている。
【００２２】
また、上記商品収容庫５のうち、最も左側に位置する商品収容庫（以下、左側商品収容庫ともいう）５ａおよび中央側に位置する商品収容庫（以下、中央商品収容庫ともいう）５ｂの断熱底壁１３には、上述した冷気吸込口１４および冷気吐出口１５の他に、暖気吸込口１６および暖気吐出口１７が形成してある。暖気吸込口１６は、吸込室１１に対応する個所であって、冷気吸込口１４よりも前方側に設けた開口であり、暖気吸込シャッタ１６ａにより開閉自在となっている。暖気吐出口１７は、吐出室１０に対応する個所であって、冷気吐出口１５よりも後方側に設けた開口であり、暖気吐出シャッタ１７ａにより開閉自在となっている。尚、図には明示していないが、最も右側に位置する商品収容庫（以下、右側商品収容庫ともいう）５ｃは、冷却専用の収容庫であり、そのため断熱底壁１３には冷気吸込口１４および冷気吐出口１５だけが形成してある。本明細書において、「右側」とは、自動販売機を正面から見た場合の右方側を意味し、「左側」とは、自動販売機を正面から見た場合の左方側を意味するものとする。
【００２３】
上述した商品収容庫５と断熱底壁１３で区画され、該商品収容庫５の下方に位置する機械室１８には、加熱室２１、冷却室２２、冷気吸込ダクト２３、冷気吐出ダクト２４、暖気吸込ダクト２５、暖気吐出ダクト２６および冷却加熱ユニット３０が設けてある。
【００２４】
加熱室２１は、機械室１８の略中央に位置し、上方以外は区画された室である。この加熱室２１の内部には、暖気送風ファン３３が設けてある。また、加熱室２１の前面および後面には開口２１ａ，２１ｂが形成してあり、かかる開口２１ａ，２１ｂはシャッタ機構２１１，２１２により開閉自在となっている。
【００２５】
冷却室２２は、加熱室２１の右方側に位置し、上方以外は区画された室である。この冷却室２２の内部には、図３に示すように冷気送風ファン３４が設けてある。また、冷却室２２の底面には、前方側および後方側にそれぞれ開口２２ａ，２２ｂが形成してあり、かかる開口２２ａ，２２ｂはシャッタ機構２２１，２２２により開閉自在となっている。
【００２６】
冷気吸込ダクト２３は、加熱室２１および冷却室２２の上方側に位置し、自動販売機の左右方向に延在している。この冷気吸込ダクト２３は、冷気吸込口１４に通じるとともに、冷却室２２に通じている。
【００２７】
冷気吐出ダクト２４は、冷気吸込ダクト２３とは別個に加熱室２１および冷却室２２の上方側に位置し、冷気吸込ダクト２３よりも前方側で自動販売機の左右方向に延在している。この冷気吐出ダクト２４は、冷気吐出口１５に通じるとともに、冷却室２２に通じている。
【００２８】
暖気吸込ダクト２５は、加熱室２１の上方側に位置し、冷気吸込ダクト２３よりも前方側でかつ冷気吐出ダクト２４よりも後方側であって自動販売機の左右方向に延在している。この暖気吸込ダクト２５は、暖気吸込口１６に通じるとともに、加熱室２１に通じている。
【００２９】
暖気吐出ダクト２６は、暖気吸込ダクト２５とは別個に加熱室２１の上方側に位置し、暖気吸込ダクト２５よりも前方側でかつ冷気吐出ダクト２４よりも後方側で自動販売機の左右方向に延在している。この暖気吐出ダクト２６は、暖気吐出口１７に通じるとともに、加熱室２１に通じている。
【００３０】
これにより加熱室２１は、暖気吸込ダクト２５および暖気吐出ダクト２６のそれぞれを通じて商品収容庫５ａ，５ｂ（左側商品収容庫５ａおよび中央商品収容庫５ｂ）に連通し、冷却室２２は、冷気吸込ダクト２３および冷気吐出ダクト２４のそれぞれを通じて商品収容庫５に連通することになる。
【００３１】
冷却加熱ユニット３０は、図４に示すように、圧縮機３１と、凝縮器３２と、膨張弁３５と、蒸発器３６とを配管で順次接続して構成してあり、内部に封入された冷媒を循環させるものである。この冷却加熱ユニット３０において、冷媒としては、不燃性、安全性、不腐食性を有し、更にオゾン層への影響が少ない二酸化炭素を用いている。
【００３２】
圧縮機３１は、加熱室２１の内部に配設してある（図２参照）。この圧縮機３１は、蒸発器３６からの冷媒（二酸化炭素）を圧縮して高温高圧の状態にするものである。本実施の形態における圧縮機３１は、２回に分けて圧縮動作を行う二段式圧縮機である。より詳細に説明すると、圧縮機３１は、１回目の圧縮動作を行う第１圧縮機３１ａと、２回目の圧縮動作を行う第２圧縮機３１ｂとを有し、これらの間に中間熱交換器３１ｃを設けてある。この中間熱交換器３１ｃは、第１圧縮機３１ａによる１回目の圧縮動作により圧縮された冷媒を凝縮させて該冷媒を第２圧縮機３１ｂに戻すものである。
【００３３】
凝縮器３２は、圧縮機３１と同様に加熱室２１の内部に配設してある（図２参照）。この凝縮器３２は、圧縮機３１で高温高圧の状態に圧縮された冷媒を、凝縮させて冷媒を液化するものである。この冷媒が凝縮することにより、凝縮器３２の周囲を通過する空気は熱が与えられることになり、加熱される。尚、二酸化炭素を冷媒として用いた場合、該冷媒は、温度が３１℃を超えると超臨界状態になる。このような場合、凝縮器３２はいわゆるガスクーラとして機能する。
【００３４】
膨張弁３５は、機械室１８に配設、すなわち機械室１８の内部において加熱室２１および冷却室２２のそれぞれと異なる領域に配設してある。この膨張弁３５は、凝縮器３２で凝縮させた冷媒を断熱膨張させる、すなわち該冷媒を減圧して低温低圧の状態に調整するものである。
【００３５】
蒸発器３６は、冷却室２２の内部に配設してある（図３参照）。この蒸発器３６は、膨張弁３５で低温低圧の状態に断熱膨張させた冷媒を蒸発させるものである。この冷媒が蒸発することにより、蒸発器３６の周囲を通過する空気は熱が奪われることになり、冷却される。また蒸発器３６は、蒸発した冷媒を圧縮機３１に供給するものである。
【００３６】
上記冷却加熱ユニット３０では、上記構成の他に、内部熱交換器３７および電磁弁３８が設けてある。内部熱交換器３７は、凝縮器３２からの冷媒（高圧冷媒）と、蒸発器３６からの冷媒（低圧冷媒）とを熱交換させるものである。より詳細に説明すると、内部熱交換器３７の内部には凝縮器３２で凝縮された冷媒が通過するための高圧冷媒管路３７ａと、蒸発器３６で蒸発した冷媒が通過するための低圧冷媒管路３７ｂとが、互いに熱交換可能な距離を有して非接触向流する態様で配設してある。電磁弁３８は、蒸発器３６とともに冷却室２２の内部に配設してあり、開閉動作することにより蒸発器３６への冷媒の供給を許容および規制するものである。
【００３７】
このような冷却加熱ユニット３０では、冷媒が循環することにより、凝縮器３２は周囲を通過する空気を加熱する加熱手段として、蒸発器３６は周囲を通過する空気を冷却する冷却手段として作用する。
【００３８】
次に、上記外扉２の構成について説明する。外扉２は、左側縁部（一側縁部）が、本体キャビネット１の前方側左側縁部に支承されて、右側縁部（他側縁部）が自由端部として本体キャビネット１の前面開口を開閉するものである。この外扉２の下部には、図５に示すように、外気導入口４０が設けてある。外気導入口４０は、本体キャビネット１の機械室１８の前方側に設けてあり、外気を機械室１８に導入するための開口である。この外気導入口４０は、左右方向に長手方向となる長孔開口である。また外気導入口４０は、網目状のメッシュ構造のフィルタ部材４１により覆われている。ここで、本実施の形態では、網目状のメッシュ構造のフィルタ材を用いているが、本発明では網目状に限定されるものではない。上記外扉２において外気導入口４０の上側には、左右方向が長手方向となる細孔形状のガイド孔４２が設けてある。
【００３９】
以上説明した自動販売機においては、上記構成の他に清掃ユニット５０が配設してある。清掃ユニット５０は、外気導入口４０を覆う態様で設けてあるフィルタ部材４１に付着した塵や埃等を除去するためのものであり、清掃ブラシ部材５１と、リンク機構５２とを備えている。
【００４０】
清掃ブラシ部材５１は、図６に示すように、ブラシ部分５１１の先端が外気導入口４０の前面側からフィルタ部材４１の表面に摺接する態様で配設してある。より詳細に説明すると、清掃ブラシ部材５１は、上下方向に沿って延在するブラシ本体５１２に植え付けられたブラシ部分５１１の先端が外気導入口４０の前面側からフィルタ部材４１の表面に摺接する態様で配設してある。この清掃ブラシ部材５１は、次のようにしてリンク機構５２に支持されている。尚、本実施の形態では、清掃ブラシ部材５１は、外気導入口４０の前面側からフィルタ部材４１に摺接する態様で配設してあるが、本発明では、外気導入口４０の両面側、すなわち外気導入口４０の前面側および後面側からそれぞれフィルタ部材４１の表面に摺接する態様で配設しても良い。
【００４１】
清掃ブラシ部材５１を構成するブラシ本体５１２は、ガイド孔４２を貫通する態様で設けられた水平延在支持片５１３の前端部に一体的に接続してある。この水平延在支持片５１３の後端部は、上下方向に延在する垂下支持片５１４に接続してあり、かかる垂下延在支持片の延在端部、すなわち下端部には、図６中に前後方向に延在するリンク支持片５１５に接続されており、かかるリンク支持片５１５が後述するリンク機構５２に支持されることにより、清掃ブラシ部材５１がリンク機構５２に支持されている。
【００４２】
リンク機構５２は、図７に示すように、長尺板状部材５２１を備えてなるものである。この長尺板状部材５２１は、基端部が支持ピン５２２を介して本体キャビネット１の基台１ａの前端側略中央領域に該支持ピン５２２の軸心回りに回転可能となる態様で配設してある。より詳細には、長尺板状部材５２１の先端部は、自由端として支持ピン５２２の軸心回りに回転することになる。この長尺板状部材５２１の先端部には、上記リンク支持片５１５が接続ピン５２３を介して接続してある。
【００４３】
このようなリンク機構５２は、外扉２が全閉状態にある場合（図５参照）には、清掃ブラシ部材５１が外気導入口４０の右側縁部側（他側縁部側）より右側の初期位置に位置させる一方、外扉２が開移動させて全開状態となる場合（図７参照および図８の破線状態の場合）には、清掃ブラシ部材５１が外気導入口４０の左側縁部側（一側縁部側）に位置させるように調整してある。これにより、図８に示すように、外扉２が開移動することにより、清掃ブラシ部材５１は左側縁部側に向けて摺動することになり、外扉２が閉移動することにより、清掃ブラシ部材５１は右側縁部側に向けて摺動することになる。尚、清掃ブラシ部材５１の初期位置が外気導入口４０より右側にあるのは、悪戯防止のためである。
【００４４】
また、かかるリンク機構５２は、外扉２が全閉状態から開移動する場合に、かかる開移動の距離が予め決められた大きさに達するまでは、清掃ブラシ部材５１を初期位置に位置させるように調整してある。すなわち、図８に示すように、外扉２が全閉状態（実線で示した状態）から開移動して本体キャビネット１よりも前方側に位置する状態、つまり外扉２の下方に本体キャビネット１の基台１ａが存在しない状態（二点鎖線で示した状態）までの間は、清掃ブラシ部材５１を初期位置近傍に位置させるように調整してある。また、清掃ブラシ部材５１をフィルタ部材４１の端より外側（右側）に初期位置を調整しても良い。
【００４５】
以上のような構成を有する自動販売機では、次のようにして商品収容庫５に収容された商品を冷却、あるいは加熱することができる。ここでは、まず全ての商品収容庫５の内部空気を冷却する場合について説明する。このように全ての商品収容庫５の内部空気を冷却する場合には、前提として、暖気吸込口１６は暖気吸込シャッタ１６ａにより閉成され、暖気吐出口１７は暖気吐出シャッタ１７ａにより閉成されているものとし、冷気吸込口１４および冷気吐出口１５はともに開成されているものとする。これにより、加熱室２１は商品収容庫５と遮断される一方、冷却室２２は商品収容庫５と連通している。また加熱室２１は、シャッタ機構２１１，２１２が開動作することにより前面開口２１ａおよび後面開口２１ｂがともに開成しており、冷却室２２は、シャッタ機構２２１，２２２により底面に設けた開口２２ａ，２２ｂがともに閉成している。
【００４６】
暖気送風ファン３３および冷気送風ファン３４を駆動させる。暖気送風ファン３３を駆動させることにより、外扉２の外気導入口４０を通じて機械室１８に導入された外気が、前面開口２１ａから取り入れられて圧縮機３１および凝縮器３２の周囲を通過し、該凝縮器３２の周囲を通過する際に加熱され、その後後面開口２１ｂから外部に放出される。
【００４７】
一方、冷気送風ファン３４を駆動させることにより、商品収容庫５の内部空気は、吸込口１２ａから背面ダクト１２に至り、該背面ダクト１２を通過した内部空気は、吐出口１２ｂを通じて吸込室１１に至る。吸込室１１に至った内部空気は、開成している冷気吸込口１４から冷気吸込ダクト２３に進入し、該冷気吸込ダクト２３を通過した後に、冷却室２２に至る。冷却室２２に至った内部空気は、蒸発器３６の周囲を通過する際に冷却され、その後冷気吐出ダクト２４に進入し、該冷気吐出ダクト２４を通過した後に冷気吐出口１５を通じて吐出室１０に至り、その後商品収容庫５の内部を通過する。これを繰り返すことにより、商品収容庫５の内部空気が冷却されて収容される商品が所望の温度状態に冷却されることになる。
【００４８】
次に左側商品収容庫５ａおよび中央商品収容庫５ｂに収容された商品を加熱する場合について説明する。この場合の前提として、左側商品収容庫５ａおよび中央商品収容庫５ｂのそれぞれの暖気吸込口１６および暖気吐出口１７は、暖気吸込シャッタ１６ａおよび暖気吐出シャッタ１７ａによりそれぞれ開成される一方、冷気吸込口１４および冷気吐出口１５は、冷気吸込シャッタ１４ａおよび冷気吐出シャッタ１５ａによりそれぞれ閉成される。また、加熱室２１では、シャッタ機構２１１，２１２が閉動作することにより前面開口２１ａおよび後面開口２１ｂがともに閉成しており、冷却室２２は、シャッタ機構２２１，２２２により底面に設けた開口２２ａ，２２ｂがともに閉成している。
【００４９】
暖気送風ファン３３および冷気送風ファン３４を駆動させる。暖気送風ファン３３を駆動させることにより、左側商品収容庫５ａおよび中央商品収容庫５ｂの内部空気は、それぞれ吸込口１２ａから背面ダクト１２に至り、該背面ダクト１２を通過した内部空気は、吐出口１２ｂを通じて吸込室１１に至る。吸込室１１に至った内部空気は、開成している暖気吸込口１６から暖気吸込ダクト２５に進入し、該暖気吸込ダクト２５を通過した後に、加熱室２１に至る。加熱室２１に至った内部空気は、圧縮機３１および凝縮器３２の周囲を通過する際に加熱され、その後暖気吐出ダクト２６に進入し、該暖気吐出ダクト２６を通過した後に暖気吐出口１７を通じて吐出室１０に至り、その後左側商品収容庫５ａおよび中央商品収容庫５ｂの内部を通過する。これを繰り返すことにより、左側商品収容庫５ａおよび中央商品収容庫５ｂの内部空気が加熱されて収容される商品が所望の温度状態に加熱されることになる。
【００５０】
一方、冷気送風ファン３４を駆動させることにより、右側商品収容庫５ｃの内部空気は、吸込口１２ａから背面ダクト１２に至り、該背面ダクト１２を通過した内部空気は、吐出口１２ｂを通じて吸込室１１に至る。吸込室１１に至った内部空気は、開成している冷気吸込口１４から冷気吸込ダクト２３に進入し、該冷気吸込ダクト２３を通過した後に、冷却室２２に至る。冷却室２２に至った内部空気は、蒸発器３６の周囲を通過する際に冷却され、その後冷気吐出ダクト２４に進入し、該冷気吐出ダクト２４を通過した後に冷気吐出口１５を通じて吐出室１０に至り、その後右側商品収容庫５ｃの内部を通過する。これを繰り返すことにより、右側商品収容庫５ｃの内部空気が冷却されて収容される商品が所望の温度状態に冷却されることになる。
【００５１】
そして、そのような自動販売機では、清掃ユニット５０が設けてあるために次のようにしてフィルタ部材４１に付着した塵や埃等を除去することができる。すなわち、リンク機構５２が、外扉２の開閉移動に応じて清掃ブラシ部材５１を外気導入口４０の右側縁部から左側縁部の間で摺動させるので、フィルタ部材４１に付着した塵や埃等を除去することができる。しかも、リンク機構５２は、外扉２が全閉状態（図８で実線で示した状態）から開移動して本体キャビネット１よりも前方側に位置する状態、つまり外扉２の下方に本体キャビネット１の基台１ａが存在しない状態（図８で二点鎖線で示した状態）までの間は、清掃ブラシ部材５１を初期位置近傍に位置させるように調整してあるので、除去した塵や埃等が機械室１８に残存することを確実に回避することができる。
【００５２】
以上説明したように本発明の実施の形態における自動販売機によれば、リンク機構５２がフィルタ部材４１表面に摺接する態様で配設された清掃ブラシ部材５１を、外扉２が全閉状態にある場合には初期位置に位置させる一方、外扉２が開移動する場合には、初期位置から外気導入口４０の左側縁部側に向けて摺動させるので、フィルタ部材４１に付着した塵や埃等を除去することができるとともに、除去した塵や埃等が機械室１８の内部に残存する虞れがない。特に、リンク機構５２が、外扉２が全閉状態から所定の距離だけ開移動する間は、清掃ブラシ部材５１を初期位置に位置させるように調整してあるので、除去した塵や埃等が機械室１８に残存することを確実に回避することができる。
【００５３】
また、上記自動販売機によれば、除去した塵や埃等が機械室１８の内部に残存する虞れがないので、加熱室２１の内部に塵や埃等が侵入する虞れがなく、これにより加熱室２１と連通状態となっている左側商品収容庫５ａおよび中央商品収容庫５ｂに塵や埃等が侵入することを確実に防止することができる。
【産業上の利用可能性】
【００５４】
以上のように、本発明は、前面を構成する外扉の下部に形成された外気導入口を通じて外気を導入するようにした自動販売機に有用である。
【図面の簡単な説明】
【００５５】
【図１】図１は、本発明の実施の形態における自動販売機を模式的に示したものであり、正面から見た断面図である。
【図２】図２は、図１のＡ−Ａ線断面図である。
【図３】図３は、図１のＢ−Ｂ線断面図である。
【図４】図４は、冷却加熱ユニットを概念的に示した概念図である。
【図５】図５は、外扉の要部を示した斜視図である。
【図６】図６は、外扉の要部を示した断面側面図である。
【図７】図７は、外扉の開成状態を示した斜視図である。
【図８】図８は、外扉の開移動に応じて摺動する清掃ブラシ部材を示した説明図である。
【符号の説明】
【００５６】
１        本体キャビネット
２        外扉
５（５ａ，５ｂ，５ｃ）      商品収容庫
２１      加熱室
２２      冷却室
２３      冷気吸込ダクト
２４      冷気吐出ダクト
３０      冷却加熱ユニット
３１      圧縮機
３２      凝縮器
３３      暖気送風ファン
３４      冷気送風ファン
３６      蒸発器
４０      外気導入口
４１      フィルタ部材
４２      ガイド孔
５０      清掃ユニット
５１      清掃ブラシ部材
５２      リンク機構
【図１】
2008234137.tif 000003
【図２】
2008234137.tif 000004
【図３】
2008234137.tif 000005
【図４】
2008234137.tif 000006
【図５】
2008234137.tif 000007
【図６】
2008234137.tif 000008
【図７】
2008234137.tif 000009
【図８】
2008234137.tif 000010